(57)【要約】【課題】妻側端部を装飾する破風化粧板に家屋内部を換気するための換気孔を設けるにあたり、換気孔を軒下から目に付き難く且つ雨水が浸入し難い位置に形成し、ケラバの見栄えを良くする。【解決手段】屋根側端部４の側面を覆う本体化粧板１の下端に屋根側端部４の下方を覆う下部被覆部１２を設け、この下部被覆部１２に隣接させて断面略Ｕ字状に形成された換気部材２を設置するとともに、両部材間に下向きに開口した凹所２ａを設け、この凹所２ａに面した換気部材２の前側壁２２に屋根裏空間とを連通した換気孔２２ａを形成して破風化粧板を構成する。【選択図】図２
2011236695.tif 000002
【特許請求の範囲】
【請求項１】
屋根側端部（４）に取り付けてケラバを装飾する破風化粧板において、
屋根側端部（４）の側面を覆う本体化粧板（１）の下端に屋根側端部（４）の下方を覆う下部被覆部（１２）を設け、この下部被覆部（１２）に隣接させて断面略Ｕ字状に形成された換気部材（２）を設け、前記下部被覆部（１２）と換気部材（２）との間に下向きに開口した凹所（２ａ）を設けるとともに、換気部材（２）の前側壁（２２）に前記凹所（２ａ）と屋根裏空間とを連通する換気孔（２２ａ）を設けた構成を有することを特徴とする破風化粧板。
【請求項２】
本体化粧板（１）の下部被覆部（１２）と、換気部材（２）の底壁（２３）とが略同一平面となるように形成し、換気部材（２）の後側壁（２４）に軒天井（５）の一端縁を支持する係止凹部（２ｃ）を設けた構成を有することを特徴とする請求項１記載の破風化粧板。
【発明の詳細な説明】
【技術分野】
【０００１】
本発明は、屋根の妻側端部であるケラバに取り付けてケラバを装飾する破風化粧板に係り、屋根裏空間に通ずる換気孔を備えて家屋の内部を換気できるように構成された構成のものに関する。
【背景技術】
【０００２】
家屋の切妻屋根廻りの造作において、妻側端部の意匠性を高めて見栄えを良くするために、塩化ビニル樹脂シートなどで被覆された樹脂被覆鋼板を折り曲げて破風板状の化粧板を形成し、これをケラバに沿って取り付けることがある。
かかる従来の破風化粧板として、例えば図５に示されるように、本体化粧板９１と、上部化粧板９２と、破風受板９３とにより構成した破風化粧板９が知られている。
【０００３】
同図に示されるように、この破風化粧板９は、屋根側端部９４に沿わせた本体化粧板９１をビスや釘などの固着具９６ａで固定し、屋根側端部９４の側面とその下方を本体化粧板９１で覆うとともに、本体化粧板９１の上端に上部化粧板９３を連結して屋根側端部９４の上部を一体的に覆い、さらに本体化粧板９１の下方で破風受板９３を外壁に沿ってあてがい、その端部を本体化粧板９１の下縁に固着具９６ｂで連結し、破風受板９２の他端部を家屋の外壁９５に固着具９６ｃで固定することで、妻側端部を恰も鋼製の破風板がケラバに沿って取り付けられた如き外観に納めるものである（例えば特許文献１参照）。
また、図６に示されるように、屋根側端部９４の下側を覆う本体化粧板９１に換気孔９１ａを形成し、この換気孔９１ａから外気を流入させて屋根裏空間の換気を行えるようにした構成のものも知られている（例えば特許文献２参照）。
【先行技術文献】
【特許文献】
【０００４】
【特許文献１】特開２００３−１５５８１１号公報
【特許文献２】実開平５−４２４９８号公報
【発明の概要】
【発明が解決しようとする課題】
【０００５】
図示した従来の破風化粧板９は、家屋の外壁９５から屋根側端部９４までの軒の出を小さくした軒天井のない、いわゆる軒ゼロタイプの家屋に適したものであり、軒の出を大きくして外壁から破風化粧板までの間に軒天井を設けたタイプの屋根には取り付けることができない。
また、図６に示されるように、換気孔９１ａを本体化粧板９１の屋根側端部９４の下部に対向する位置に設けたのでは、軒下から屋根を見上げたときに換気孔９１ａが目に付き、また、降雨時に本体化粧板９１の下面を棟側から軒先へと伝い落ちる雨水が換気孔９１ａから本体化粧板９１の内側に入り込み、換気機能を低下させるという問題がある。
【０００６】
本発明は従来技術の有するこのような問題点に鑑み、屋根側端部に破風化粧板を取り付けて妻側端部を見栄え良く装飾するとともに、軒下から目に付き難く且つ雨水が浸入し難い位置に換気孔を形成し、この換気孔を通して屋根裏空間の換気を十分に行えるようにすることを課題とする。
【課題を解決するための手段】
【０００７】
前記課題を解決するため本発明は、屋根側端部に取り付けてケラバを装飾する破風化粧板において、屋根側端部の側面を覆う本体化粧板の下端に屋根側端部の下方を覆う下部被覆部を設け、この下部被覆部に隣接させて断面略Ｕ字状に形成された換気部材を設け、前記下部被覆部と換気部材との間に下向きに開口した凹所を設けるとともに、換気部材の前側壁に前記凹所と屋根裏空間とを連通する換気孔を設けた構成を有することを特徴とする。
【０００８】
前記構成の破風化粧板によれば、屋根側端部の下方を覆う下部被覆部と換気部材との間に下向きに開口した凹所を設け、この凹所に面する換気部材の前側壁に換気孔を形成してあるので、この換気孔から外気を家屋の内部に取り入れて屋根裏空間へと流入させることで、屋根裏空間の換気を十分に行うことが可能である。換気孔は凹所に面して形成してあるので、降雨時に換気孔から化粧板内部に雨水が浸入する虞がなく、また、屋根側端部を下から見上げたとき換気孔が目に触れることもなく、破風化粧板によってケラバを見栄え良く納めることができる。
【０００９】
また、前記構成の破風化粧板において、前記構想に加え、破風化粧板を構成する本体化粧板の下部被覆部と、換気部材の底壁とが略同一平面となるように形成し、換気部材の後側壁に軒天井の一端縁を支持する係止凹部を設けて構成することが好ましい。
このような構成とすることにより、家屋の妻側端部で軒天井の一端縁を簡単且つ確実に支持することができ、切妻屋根回りの造作がスッキリとしたより見栄えの良いものとなる。
【図面の簡単な説明】
【００１０】
【図１】本発明の一実施形態の破風化粧板を屋根側端部に取り付けた状態を示す外観斜視図である。
【図２】図１における屋根側端部の要部断面図である。
【図３】破風化粧板の構成を示す展開斜視図である。
【図４】換気部材の要部斜視図である。
【図５】従来の破風化粧板を取り付けた屋根側端部の要部断面図である。
【図６】換気孔を備えた従来の破風化粧板を取り付けた屋根側端部の要部断面図である。
【発明を実施するための形態】
【００１１】
本発明の好適な一実施形態を図面を参照して説明する。
図１は本発明の一実施形態の破風化粧板を屋根側端部に取り付けた状態を示す外観斜視図、図２は破風化粧板を屋根側端部に取り付けた状態を示す断面図、図３は破風化粧板の展開斜視図、図４は換気部材の斜視図である。
【００１２】
図示した形態の破風化粧板は、屋根側端部４の側面及び下方を覆う本体化粧板１と、屋根側端部４の下方を覆う換気部材２と、屋根側端部４の上方を覆う上部化粧板３とで構成されるものである。
これら各部材は、表面を塩化ビニル樹脂シートで覆うなどの耐蝕加工が施された樹脂被覆鋼板をベンダー等で折り曲げて形成されている。各部材を構成する鋼板としては、例えば厚みが０．４ｍｍの鋼板の表面を０．２５ｍｍ厚の塩化ビニル樹脂シートで被覆し、裏面を０．１ｍｍ厚の塩化ビニル樹脂シートで被覆した樹脂被覆鋼板が好適である。
【００１３】
本体化粧板１は、屋根側端部４の側面を覆う側面被覆部１１と、屋根側端部４の下方を覆う下部被覆部１２とからなり、図２に示されるように、側面被覆部１１の上方には断面コ字状の凹部１１０が設けられており、この凹部１１０にビスや釘などの固着具Ｎを打ち込むことによって、屋根側端部４の側面に本体化粧板１が固定されるようになっている。
また、この本体化粧板１の下端は、家屋側に向かって略直角に折り曲げられて下部被覆部１２が形成されており、その先端には略垂直に立ち上げられた側壁１３と、さらにその先端が水平方向に折り曲げられた係止片１４が形成してある。
【００１４】
換気部材２は、図４に示されるように、底壁２３の両端縁から立ち上がる前側壁２２と後側壁２４とによって断面略Ｕ字状の換気室２ｂが形成されており、それぞれの前後側壁２２、２４の上端には水平且つ外方へ突出したフランジ状の係止片２１、２５が設けてある。
また、換気部材２の前後側壁２２、２４と前記本体化粧板１の側壁１３とは、略同じ高さ寸法に形成してある。このため、換気部材２を本体化粧板１の下部被覆部１２に隣接させて並行に配置し、換気部材２の係止片２１を本体化粧板１の係止片１４に重ね合わせて当該重合部に固着具Ｎを打ち込んで屋根側端部４の下面に固定した際に、下部被覆部１２と換気部材２の間に下向きに開口した凹所２ａが形成されるとともに、本体化粧板１の下部被覆部１２と換気部材２の底壁２３とが略同一平面となるようになっている。
【００１５】
換気部材２の前側壁２２には、多数の換気孔２２ａが形成してあり、各換気孔２２ａを介して前記凹所２ａと換気室２ｂ及び屋根裏とが連通して、図２中に破線矢印で示した如く、軒先から家屋内部に外気が流入するように設けてある。また、換気部材２の後側壁２４には、家屋側に向かって開口した係止凹部２ｃが形成してあり、この係止凹部２ｃで軒天井５の一端縁を支持できるように設けてある。
【００１６】
上部化粧板３は、屋根側端部４から屋根６の上面を適宜な幅で覆う断面形状に形成されており、屋根側端部４の上方を覆う上部被覆部３１の一側端には下方へ垂直に折れ曲がって屋根側端部４の上部側面を覆う側面被覆部３２が形成してあり、この側面被覆部３２の下端部で本体化粧板１の上端部が部分的に覆われるようになっている。
【００１７】
これらの部材により構成される本形態の破風化粧板は、例えば以下の施工手順により屋根側端部４に取り付けることができる。
先ず、本体化粧板１を屋根側端部４の所定位置に取り付ける。このとき、本体化粧板１の下部被覆部１２の係止片１４を屋根側端部４の下面にあてがって位置決めをしながら、側面被覆部１１の上部に設けられた凹部１１０に固着具Ｎを打ち込んで固定する。
次に、本体化粧板１の下部被覆部１２に換気部材２を隣接させて並行に配置し、下部被覆部１２の係止片１４に換気部材２の係止片２１を重ね合わせながらこの重合部にビスや釘などの固着具Ｎを打ち込んで固定し、同様に換気部材２の他方の係止片２５に固着具Ｎを打ち込んで固定する。
このようにして本体化粧板１と換気部材２を固定したならば、換気部材２の係止凹部２ｃに軒天井５の一端縁を係合させて支持する。
最後に、屋根側端部４から屋根６の上面を上部化粧板３で覆うとともに、側面被覆部３２を本体化粧板１の上部に重ね合わせて固定することにより、施工作業が完了する。
【００１８】
本形態の破風化粧板によれば、屋根側端部４の下側に凹所２ａを設け、この凹所２ａに面する換気部材２の前側壁２２に換気孔２２ａを形成してあるので、この換気孔２２ａから外気を家屋の内部に取り入れて屋根裏空間へと流入させることで、屋根裏空間の換気を十分に行うことが可能である。この換気孔２２ａは換気部材２２ａの前側壁２２に形成してあるので、降雨時に換気孔から化粧板内部に雨水が浸入する虞がなく、また、屋根側端部を下から見上げたとき換気孔２２ａが目に触れることもなく、ケラバは破風化粧板により見栄え良く納められる。
また、破風化粧板はその本体化粧板１の下部被覆部１２と、換気部材２の底壁２３とが略同一平面となるように形成してあるとともに、換気部材２の後側壁２４に軒天井５の一端縁を支持する係止凹部２ｃを設けてあるので、妻側端部で軒天井５の一端縁を簡単且つ確実に支持し、切妻屋根回りの造作をスッキリとした見栄えの良いものに納めることができる。
【００１９】
なお、前記実施形態の破風化粧板は、本体化粧板１と換気部材２と、さらには上部化粧板３とが各々別体となったものを例示したが、本発明はこの形態に限定されない。本体化粧板１の係止部１４と換気部材２の係止部２１とが一体に結合した形態や、本体化粧板１に上部化粧板３が一体となった形態、或いは本体化粧板１、換気部材２及び上部化粧板３が一体となった形態とすることもできる。
【符号の説明】
【００２０】
１  本体化粧板、１１  側面被覆部、１２  下部被覆部、１３  側壁、１４  係止片、１１０  凹部、２  換気部材、２ａ  凹所、２ｂ  換気室、２ｃ  係止凹部、２１  係止片、２２  前側壁、２２ａ  換気孔、２３  底壁、２４  後側壁、２５  係止片、３  上部化粧板、３１  上部被覆部、３２  側面被覆部、４  屋根側端部、５  軒天井、６  屋根、Ｎ  固着具
【図１】
2011236695.tif 000003
【図２】
2011236695.tif 000004
【図３】
2011236695.tif 000005
【図４】
2011236695.tif 000006
【図５】
2011236695.tif 000007
【図６】
2011236695.tif 000008